(57)【要約】【課題】パッキング内に配置したアンテナと給電回路との電気的接続を容易に行うことができるようにした無線装置を提供する。【解決手段】フレキシブルプリント配線板１６にＬ型ダイポールアンテナ５を形成し、フレキシブルプリント配線板１６の両面にパッキング材層１７、１８を設けてパッキング４を構成し、更に、フレキシブルプリント配線板１６にＬ型ダイポールアンテナ５の給電点となるスルーホール２８、２９を設け、プリント配線板１４にスルーホール２８、２９が嵌合可能なスプリングコネクタ１５を配置する。【選択図】図３
2008205679.tif 000002
【特許請求の範囲】
【請求項１】
第１、第２の開口筐体をパッキングを介して開口側を合わせて一体化した装置本体を有し、前記パッキング内にアンテナを配置した無線装置において、
前記パッキングは、前記アンテナ及び前記アンテナの給電点となるスルーホールを設けた配線板の両面に、少なくとも前記スルーホールの部分を除き、パッキング材層を設けて構成され、前記装置本体内に前記スルーホールと嵌合可能なコネクタが配置されていることを特徴とする無線装置。
【請求項２】
前記パッキングは、額縁状とされ、
前記アンテナとして、前記パッキングの角部を中心部とするＬ型ダイポールアンテナが配置されていることを特徴とする請求項１に記載の無線装置。
【請求項３】
前記パッキングは、額縁状とされ、
前記アンテナとして、少なくとも、前記パッキングの対角線上の２個の角部を各々の中心部とする２個のＬ型ダイポールアンテナが配置されていることを特徴とする請求項１に記載の無線装置。
【請求項４】
前記第１、第２の開口筐体は、導電体又は導電物質を含む塗料を塗布した絶縁体からなり、
前記アンテナは、前記第１、第２の開口筐体と１.５ｍｍ以上離れるように配置されていることを特徴とする請求項１、２又は３に記載の無線装置。
【発明の詳細な説明】
【技術分野】
【０００１】
本発明は、携帯電話機、コードレス電話機、ワイヤレス無線通信ＰＣカード等に適用して好適な無線装置に関する。
【背景技術】
【０００２】
従来、この種の無線装置として、例えば、特許文献１には、第１、第２の開口筐体を額縁状のゴムパッキングを介して開口側を合わせて一体化した装置本体を有し、ゴムパッキング内にコ形の金属棒からなるアンテナを配置した携帯型無線電話機が開示されている。この携帯型無線電話機は、アンテナの取り付けの容易化と、ゴムパッキングの装着の簡単化を図るというものである。
【特許文献１】特開平０６−０３７８７６号公報
【特許文献２】特開２００２−２８０８２１号公報
【特許文献３】特開２００３−３１５４７５号公報
【特許文献４】特開２００６−１０９０８１号公報
【特許文献５】特開２００１−１６８６２０号公報
【発明の開示】
【発明が解決しようとする課題】
【０００３】
特許文献１に記載の携帯型無線電話機は、アンテナの端部を装置本体内の送受信回路に同軸コネクタ又は半田付けで接続するようにしているが、より容易な手段でアンテナを送受信回路に接続することが要請されている。
【０００４】
本発明は、かかる点に鑑み、パッキング内に配置したアンテナと送受信回路との電気的接続を容易に行うことができるようにした無線装置を提供することを目的とする。
【課題を解決するための手段】
【０００５】
本発明は、第１、第２の開口筐体をパッキングを介して開口側を合わせて一体化した装置本体を有し、前記パッキング内にアンテナを配置した無線装置において、前記パッキングは、前記アンテナ及び前記アンテナの給電点となるスルーホールを設けた配線板の両面に、少なくとも前記スルーホールの部分を除き、パッキング材層を設けて構成され、前記装置本体内に前記スルーホールと嵌合可能なコネクタが配置されているものである。
【発明の効果】
【０００６】
本発明によれば、パッキングは、アンテナ及びアンテナの給電点となるスルーホールを設けた配線板の両面に、少なくとも前記スルーホールの部分を除き、パッキング材層を設けて構成され、装置本体内に前記スルーホールと嵌合可能なコネクタが配置されているので、前記スルーホール及び前記コネクタを介して、前記アンテナと送受信回路との電気的接続を容易に行うことができる。
【発明を実施するための最良の形態】
【０００７】
（第１実施形態）
図１は本発明の第１実施形態の概略的斜視図である。図１中、１は装置本体であり、装置本体１は、一面側を開口とした開口筐体２、３を額縁状のパッキング４を介して開口側を合わせて一体化したものであり、本発明の第１実施形態は、パッキング４の内部にＬ型ダイポールアンテナ５を配置したものである。
【０００８】
図２は本発明の第１実施形態の概略的分解斜視図である。開口筐体２は、長方形の前面部６と、前面部６の周辺部分に設けられた長方形の環状の周縁部７と、周縁部７から突出するように設けられた爪８＿１〜８＿６を有しており、周縁部７の端面９を面一とし、前面部６と対向する側を開口とされている。
【０００９】
開口筐体３は、長方形の背面部１０と、背面部１０の周辺部分に設けられた長方形の環状の周縁部１１を有しており、周縁部１１の端面１２を面一とし、背面部１０と対向する側を開口とされている。
【００１０】
また、開口筐体３の周縁部１１の外壁には、開口筐体２の爪８＿１〜８＿６を係合させるための溝１３＿１〜１３＿６が設けられており、開口筐体３の爪８＿１〜８＿６を開口筐体３の溝１３＿１〜１３＿６に係合させることにより、開口筐体２、３は、パッキング４を介して周縁部７の端面９と周縁部１１の端面１２とを突き合わせるように一体化されて装置本体１を構成することになる。
【００１１】
また、１４は送受信回路等が搭載されたプリント配線板であり、プリント配線板１４は、所定の固定部材を介して開口筐体２の前面部６に固定される。このプリント配線板１４には、パッキング４の内部に配置されているＬ型ダイポールアンテナ５と送受信回路との電気的接続を図るためのＬ型のスプリングコネクタ１５が搭載されている。
【００１２】
図３はパッキング４及びプリント配線板１４を示す概略的分解斜視図である。パッキング４は、外形を長方形、内形を６角形とする環状のフレキシブルプリント配線板１６の両面に、環状かつ帯状のパッキング材層１７、１８を設けて構成されている。これらパッキング材層１７、１８は、例えば、ゴムや合成樹脂等の絶縁材料をフレキシブルプリント配線板１６の両面に環状かつ帯状に塗布することにより形成することができる。
【００１３】
図３中、破線１９で囲んだ部分は、フレキシブルプリント配線板１６のうち、破線２０で囲んだ部分の概略的平面図である。フレキシブルプリント配線板１６には、フレキシブルプリント配線板１６の角部２１を中心部として、Ｌ型ダイポールアンテナ５が銅箔で形成されている。
【００１４】
Ｌ型ダイポールアンテナ５は、同一長のアンテナ素子２３、２４を備えている。アンテナ素子２３は、フレキシブルプリント配線板１６の短辺部２５に沿って配置され、アンテナ素子２４は、フレキシブルプリント配線板１６の長辺部２６に沿って配置されている。
【００１５】
また、フレキシブルプリント配線板１６は、Ｌ型ダイポールアンテナ５が設けられている部分の内側角部に、パッキング材層１７、１８が形成されていないスルーホール形成部２７を有し、このスルーホール形成部２７には、スルーホール２８、２９が形成されている。
【００１６】
スルーホール２８は、アンテナ素子２３に接続されており、アンテナ素子２３の給電点とされている。スルーホール２９は、アンテナ素子２４に接続されており、アンテナ素子２４の給電点とされている。
【００１７】
図４はスルーホール２８、２９とスプリングコネクタ１５の接続状態を示す概略図である。（Ａ）はパッキング４の一部分を示す概略的平面図、（Ｂ）はスルーホール２８、２９及びスプリングコネクタ１５の部分を側面方向から見た図である。但し、（Ｂ）では、スルーホール２８、２９の部分を断面としている。
【００１８】
スプリングコネクタ１５において、３０は台座部、３１、３２は筒状部、３３、３４は導電体の可動ピンである。台座３０はプリント配線板１４に固定されている。筒状部３１、３２は台座部３０に固定され、内部に圧縮コイルバネが配置されている。
【００１９】
可動ピン３３は、筒状部３１内の圧縮コイルバネの押圧を受けて、筒状部３１を案内路として可動可能とされている。可動ピン３４は、筒状部３２内の圧縮コイルバネの押圧を受けて、筒状部３２を案内路として可動可能とされている。
【００２０】
図５は本発明の第１実施形態の概略的部分側面図である。ここで、開口筐体２、３を導電体又は導電物質を含む塗料を塗布した絶縁体で構成した場合、Ｌ型ダイポールアンテナ５は、開口筐体２、３の影響を受け、その特性は、アンテナ素子２３、２４と開口筐体２、３との間隔ＬＢにより異なるものとなる。
【００２１】
図６〜図８は開口筐体２、３を金属製とし、かつ、アンテナ素子２３、２４の長さＬＡを３ｃｍとしてＬ型ダイポールアンテナ５を２.５ＧＨz帯用のアンテナとした場合のＬ型ダイポールアンテナ５の特性図であり、図６〜図８の（Ａ）はスミスチャート、図６〜図８の（Ｂ）は定在波比（ＶＳＷＲ）を示す図である。
【００２２】
但し、図６は開口筐体２、３とアンテナ素子２３、２４との間隔ＬＢを０.１ｍｍとした場合、図７は開口筐体２、３とアンテナ素子２３、２４との間隔ＬＢを１.５ｍｍとした場合、図８は開口筐体２、３とアンテナ素子２３、２４との間隔ＬＢを３.０ｍｍとした場合である。
【００２３】
ここで、アンテナ素子２３、２４の長さＬＡを３ｃｍとして、Ｌ型ダイポールアンテナ５を２.５ＧＨｚ帯用のアンテナとした場合において、開口筐体２、３を金属製とした場合であっても、アンテナ素子２３、２４と開口筐体２、３との間隔ＬＢを１.５ｍｍ以上とする場合には、定在波比を３.０以内にすることができる。また、アンテナ素子２３、２４の幅ＬＣを１ｍｍ以上とする場合には、５００ＭＨzのアンテナ帯域幅を確保することができる。
【００２４】
以上のように、本発明の第１実施形態によれば、フレキシブルプリント配線板１６にＬ型ダイポールアンテナ５を形成し、かつ、フレキシブルプリント配線板１６の両面にパッキング材層１７、１８を設けてパッキング４を構成し、更に、フレキシブルプリント配線板１６にＬ型ダイポールアンテナ５の給電点となるスルーホール２８、２９を設け、プリント配線板１４にスルーホール２８、２９が嵌合可能なスプリングコネクタ１５を配置するとしている。
【００２５】
この結果、フレキシブルプリント配線板１６のスルーホール２８、２９をスプリングコネクタ１５の可動ピン３３、３４に嵌合させることで、Ｌ型ダイポールアンテナ５とプリント配線板１４上の送受信回路との電気的接続を容易に行うことができる。
【００２６】
また、本発明の第１実施形態によれば、アンテナとしてＬ型ダイポールアンテナ５を設けているので、開口筐体２、３を導電体又は導電物質を含む塗料を塗布した絶縁体で構成した場合であっても、アンテナ素子２３、２４と開口筐体２、３との間隔ＬＢを１.５ｍｍ以上とする場合には、良好なアンテナ特性を得ることができる。
【００２７】
（第２実施形態）
図９は本発明の第２実施形態が備えるパッキング及びプリント配線板を示す概略的分解斜視図であり、図９において、図２及び図３に対応する部分には同一符号を付している。
【００２８】
本発明の第２実施形態においては、フレキシブルプリント配線板１６に、フレキシブルプリント配線板１６の対角線上の２個の角部２１、３５を各々の中心部とする２個のＬ型ダイポールアンテナ５、３６を配置している。３７、３８はＬ型ダイポールアンテナ３６のアンテナ素子、３９はアンテナ素子３７の給電点をなすスルーホール、４０はアンテナ素子３８の給電点をなすスルーホールである。
【００２９】
また、プリント配線板１４には、Ｌ型ダイポールアンテナ５、３６に対応させてＬ型のスプリングコネクタ１５、４１を搭載している。その他については、本発明の第１実施形態と同様に構成している。
【００３０】
本発明の第２実施形態によれば、本発明の第１実施形態と同様の効果を得ることができると共に、Ｌ型ダイポールアンテナ５、３６は、フレキシブルプリント配線板１６の対角線上の２個の角部２１、３５を各々の中心部として構成されているので、高いスペースダイバーシチ効果を得ることができる。
【００３１】
（第３実施形態）
図１０は本発明の第３実施形態が備えるパッキング及びプリント配線板を示す概略的分解斜視図であり、図１０において、図９に対応する部分には同一符号を付している。
【００３２】
本発明の第３実施形態においては、本発明の第２実施形態が備えるＬ型ダイポールアンテナ５、３６のほかに、フレキシブルプリント配線板１６に、フレキシブルプリント配線板１６の対角線上の２個の角部４２、４３を各々の中心部とする２個のＬ型ダイポールアンテナ４４、４５を配置している。
【００３３】
なお、４６、４７はＬ型ダイポールアンテナ４４のアンテナ素子、４８はアンテナ素子４６の給電点をなすスルーホール、４９はアンテナ素子４７の給電点をなすスルーホールである。また、５０、５１はＬ型ダイポールアンテナ４５のアンテナ素子、５２はアンテナ素子５０の給電点をなすスルーホール、５３はアンテナ素子５１の給電点をなすスルーホールである。
【００３４】
また、プリント配線板１４には、Ｌ型ダイポールアンテナ４４、４５に対応させてＬ型のスプリングコネクタ５４、５５を搭載している。その他については、本発明の第２実施形態と同様に構成している。
【００３５】
本発明の第３実施形態によれば、本発明の第１実施形態と同様の効果を得ることができると共に、４個のＬ型ダイポールアンテナ５、３６、４４、４５をフレキシブルプリント配線板１６の角部２１、３５、４２、４３を各々の中心部として配置しているので、高いスペースダイバーシチ効果を得ることができる。
【図面の簡単な説明】
【００３６】
【図１】本発明の第１実施形態の概略的斜視図である。
【図２】本発明の第１実施形態の概略的分解斜視図である。
【図３】本発明の第１実施形態が備えるパッキング及びプリント配線板を示す概略的分解斜視図である。
【図４】本発明の第１実施形態が備えるスルーホールとスプリングコネクタの接続状態を示す概略図である。
【図５】本発明の第１実施形態の概略的部分側面部である。
【図６】本発明の第１実施形態が備えるＬ型ダイポールアンテナの特性図である。
【図７】本発明の第１実施形態が備えるＬ型ダイポールアンテナの特性図である。
【図８】本発明の第１実施形態が備えるＬ型ダイポールアンテナの特性図である。
【図９】本発明の第２実施形態が備えるパッキング及びプリント配線板を示す概略的分解斜視図である。
【図１０】本発明の第３実施形態が備えるパッキング及びプリント配線板を示す概略的分解斜視図である。
【符号の説明】
【００３７】
１…装置本体
２、３…開口筐体
４…パッキング
５…Ｌ型ダイポールアンテナ
６…前面部
７…周縁部
８＿１〜８＿６…爪
９…端面
１０…背面部
１１…周縁部
１２…端面
１３＿１〜１３＿６…溝
１４…プリント配線板
１５…スプリングコネクタ
１６…フレキシブルプリント配線板
１７、１８…パッキング材層
２３、２４…アンテナ素子
２７…スルーホール形成部
２８、２９…スルーホール
３０…台座
３１、３２…筒状部
３３、３４…可動ピン
３６…Ｌ型ダイポールアンテナ
３７、３８…アンテナ素子
３９、４０…スルーホール
４１…スプリングコネクタ
４４、４５…Ｌ型ダイポールアンテナ
４６、４７…アンテナ素子
４８、４９…スルーホール
５０、５１…アンテナ素子
５２、５３…スルーホール
５４、５５…スプリングコネクタ
【図１】
2008205679.tif 000003
【図２】
2008205679.tif 000004
【図３】
2008205679.tif 000005
【図４】
2008205679.tif 000006
【図５】
2008205679.tif 000007
【図６】
2008205679.tif 000008
【図７】
2008205679.tif 000009
【図８】
2008205679.tif 000010
【図９】
2008205679.tif 000011
【図１０】
2008205679.tif 000012